(57)【要約】【課題】  ランプホルダーにリフレクタを取り付けるのに際し、その取付け作業性を改善することと、リフレクタの位置決め精度を高めて光学機器の光学性能を向上させることとを課題とする。【解決手段】  ランプホルダー２の座面３１，３２，３３に載架したリフレクタ５のフランジ部５３を、座面３１，３２，３３とランプホルダー２にビス止めした押え具６との間で弾圧挟持させる。リフレクタ５の外面の１箇所をランプホルダー２にビス止めした側圧付与具７により径方向に弾圧させてそのリフレクタ５の口縁部を側圧付与具７と受面４１，４２とによって径方向で弾圧挟持させる。フランジ部５３に対する押え具６による２箇所の弾圧箇所の対向方向に対して、リフレクタ５の外面に対する１箇所の側圧付与具７による弾圧方向を直交させている。【選択図】        図１
2007273230.tif 000002
【特許請求の範囲】
【請求項１】
光源の光を凹面状の反射面で反射して指向性を付与するリフレクタを備える光源ユニットが、上記リフレクタの放光口の口縁部をランプホルダーに固定することによって当該ランプホルダーに取り付けられている光源ユニット取付け構造において、
ランプホルダーの複数箇所に具備された座面に載架されている上記リフレクタの放光口の周囲の円環状のフランジ部を上記ランプホルダーにビス止めした押え具により弾圧させてその押え具と上記座面とにより上記フランジ部を厚さ方向で弾圧挟持させてあると共に、そのリフレクタの外面の１箇所を上記ランプホルダーにビス止めした側圧付与具により径方向に弾圧させて上記ランプホルダーの座面の外側に具備させた段付状の受面に上記フランジ部の外周端面を押し付けさせることによりそのリフレクタの放光口の口縁部を上記側圧付与具と上記受面とによって径方向で弾圧挟持させてあり、
上記フランジ部がその中心を挟む反対側の２箇所で上記押え具により弾圧されているのに対し、上記リフレクタに対する上記側圧付与具の弾圧箇所が、上記押え具による上記フランジ部の２箇所の弾圧箇所の相互間中央位置に定められていると共に、上記フランジ部に対する上記押え具による２箇所の弾圧箇所の対向方向に対して、上記リフレクタの外面に対する１箇所の上記側圧付与具による弾圧方向が直交し、
上記押え具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んで上記取付け片部の反対側へ突き出て上記フランジ部に弾接することによりそのフランジ部を上記座面に押し付ける押圧作用片とを備え、
上記側圧付与具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んでその取付け片部の反対側へ突き出て上記リフレクタの外面に弾接することによってそのリフレクタを径方向に押し付ける押圧作用片とを備えていて、
上記押え具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっていることに加え、上記側圧付与具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっていることを特徴とする光源ユニット取付け構造。
【請求項２】
光源の光を凹面状の反射面で反射して指向性を付与するリフレクタを備える光源ユニットが、上記リフレクタの放光口の口縁部をランプホルダーに固定することによって当該ランプホルダーに取り付けられている光源ユニット取付け構造において、
ランプホルダーに具備された座面に載架されている上記リフレクタの放光口の周囲の円環状のフランジ部を上記ランプホルダーにビス止めした押え具により弾圧させてその押え具と上記座面とにより上記フランジ部を厚さ方向で弾圧挟持させてあると共に、そのリフレクタの外面の１箇所を上記ランプホルダーにビス止めした側圧付与具により径方向に弾圧させて上記ランプホルダーの座面の外側に具備させた段付状の受面に上記フランジ部の外周端面を押し付けさせることによりそのリフレクタの放光口の口縁部を上記側圧付与具と上記受面とによって径方向で弾圧挟持させてあることを特徴とする光源ユニット取付け構造。
【請求項３】
上記フランジ部がその中心を挟む反対側の２箇所で上記押え具により弾圧されているのに対し、上記リフレクタに対する上記側圧付与具の弾圧箇所が、上記押え具による上記フランジ部の２箇所の弾圧箇所の相互間中央位置である請求項２に記載した光源ユニット取付け構造。
【請求項４】
上記フランジ部に対する上記押え具による２箇所の弾圧箇所の対向方向に対して、上記リフレクタの外面に対する１箇所の上記側圧付与具による弾圧方向が直交している請求項３に記載した光源ユニット取付け構造。
【請求項５】
上記押え具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んで上記取付け片部の反対側へ突き出て上記フランジ部に弾接することによりそのフランジ部を上記座面に押し付ける押圧作用片とを備えている請求項２ないし請求項４に記載した光源ユニット取付け構造。
【請求項６】
上記側圧付与具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んでその取付け片部の反対側へ突き出て上記リフレクタの外面に弾接することによってそのリフレクタを径方向に押し付ける押圧作用片とを備えている請求項２ないし請求項４に記載した光源ユニット取付け構造。
【請求項７】
上記押え具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっている請求項５に記載した光源ユニット取付け構造。
【請求項８】
上記側圧付与具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっている請求項６に記載した光源ユニット取付け構造。
【発明の詳細な説明】
【技術分野】
【０００１】
本発明は、光源ユニット取付け構造、詳しくは、プロジェクタなどの光学機器に用いられる光源ユニットをランプホルダーに取り付けるための構造に関する。
【背景技術】
【０００２】
従来より、プロジェクタの光源ユニットをランプホルダーに取り付ける手段として、光源ユニットのリフレクタの外面にランプホルダーに取り付けた線状のばね材を掛け渡すことによってそのリフレクタをランプホルダーに弾圧させるというものが種々提案されている（たとえば、特許文献１、特許文献２参照）。また、リフレクタの周囲複数箇所にランプホルダーに取り付けた板ばねを弾圧させてそれらの板ばねとランプホルダーとによってリフレクタを弾圧挟持させるものも提案されている（たとえば、特許文献３参照）。さらに、ランプユニットのフランジ部を基板プレートと押圧プレートとによって挟み、その押圧プレートをねじで保持させてスプリングによって弾圧するというものも提案されている（たとえば、特許文献４参照）。
【特許文献１】特開平１１−５２４８９号公報
【特許文献２】特開平１１−２５８６９４号公報
【特許文献３】特開平１１−１３３５０７号公報
【特許文献４】特開２００２−３４１４４１号公報
【発明の開示】
【発明が解決しようとする課題】
【０００３】
しかしながら、上掲の各特許文献に記載されているものはいずれもリフレクタの放光口の口縁部をランプホルダーに弾圧させてランプホルダーにリフレクタを装着する手段を示しているだけであり、リフレクタをその径方向で位置決めする対策を教えているものではない。
【０００４】
本発明は以上の状況の下でなされたものであり、ランプホルダーにリフレクタを取り付けるのに際して、リフレクタの放光口の口縁部をリフレクタに弾圧させてランプホルダーにリフレクタを簡単な作業で装着することができる手段と共に、ランプホルダーに対してリフレクタをその径方向で正確にかつ容易に位置決めすることのできる対策を提供することによって、プロジェクタなどの光学機器の光学性能を高めるということと併せて、ランプホルダーに対するリフレクタの取付作業性を高めることを目的としている。
【課題を解決するための手段】
【０００５】
本発明に係る光源ユニット取付け構造は、光源の光を凹面状の反射面で反射して指向性を付与するリフレクタを備える光源ユニットが、上記リフレクタの放光口の口縁部をランプホルダーに固定することによって当該ランプホルダーに取り付けられている。
【０００６】
そして、ランプホルダーに具備された座面に載架されている上記リフレクタの放光口の周囲の円環状のフランジ部を上記ランプホルダーにビス止めした押え具により弾圧させてその押え具と上記座面とにより上記フランジ部を厚さ方向で弾圧挟持させてあると共に、そのリフレクタの外面の１箇所を上記ランプホルダーにビス止めした側圧付与具により径方向に弾圧させて上記ランプホルダーの座面の外側に具備させた段付状の受面に上記フランジ部の外周端面を押し付けさせることによりそのリフレクタの放光口の口縁部を上記側圧付与具と上記受面とによって径方向で弾圧挟持させてある。
【０００７】
この構成を備える光源ユニット取付け構造では、ランプホルダーにビス止めされている押え具とそのランプホルダーの座面とによりリフレクタのフランジ部が厚さ方向で弾圧挟持されていることによりリフレクタがランプホルダーに装着されている。また、ランプホルダーにビス止めされている側圧付与具と座面の外側の段付状の受面とによりリフレクタの放光口の口縁部が径方向で弾圧挟持されていることによりリフレクタがランプホルダーに対して径方向で位置決めされている。したがって、ランプホルダーに対するリフレクタの取付誤差の発生が抑制されてプロジェクタなどの光学機器の光学性能が高められる。また、上記の押え具や側圧付与具はランプホルダーにビス止めされるために、ランプホルダーに対するリフレクタの取付作業性を優れる。
【０００８】
本発明では、上記フランジ部がその中心を挟む反対側の２箇所で上記押え具により弾圧されているのに対し、上記リフレクタに対する上記側圧付与具の弾圧箇所が、上記押え具による上記フランジ部の２箇所の弾圧箇所の相互間中央位置であることが望ましい。また、上記フランジ部に対する上記押え具による２箇所の弾圧箇所の対向方向に対して、上記リフレクタの外面に対する１箇所の上記側圧付与具による弾圧方向が直交していることが望ましい。これらの構成によれば、リフレクタに無理な負荷を加えることなくそのリフレクタのランプホルダーに対する取付安定性が向上する。そのため、高熱や振動に起因するリフレクタの破損などが起こりにくくなる。
【０００９】
本発明では、上記押え具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んで上記取付け片部の反対側へ突き出て上記フランジ部に弾接することによりそのフランジ部を上記座面に押し付ける押圧作用片とを備えているという構成を採用することができる。また、上記側圧付与具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んでその取付け片部の反対側へ突き出て上記リフレクタの外面に弾接することによってそのリフレクタを径方向に押し付ける押圧作用片とを備えているという構成を採用することができる。これらの各発明によると、押え具や側圧付与具をランプホルダーにビス止めする際に、それらの脚片部をランプホルダーの凹入部に差し込んで仮止め状態を作り出し、そのような仮止め状態の押え具や側圧付与具をランプホルダーにビス止めすることができるために、押え具や側圧付与具をランプホルダーにビス止めする際の取付作業性が改善される。
【００１０】
本発明では、上記押え具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっているという構成を採用することが望ましい。また、上記側圧付与具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっていることが望ましい。これらの各発明によると、押え具や側圧付与具が、ランプホルダーの凹入部の内壁面に弾接したそれらの脚片部によって動きにくいようにランプホルダーに仮止めされた状態が作り出されるために、押え具や側圧付与具をランプホルダーにビス止めする際の取付作業性がいっそう改善される。
【００１１】
本発明に係る光源ユニット取付け構造は、次の構成を採用することによっていっそう具体化される。すなわち、光源の光を凹面状の反射面で反射して指向性を付与するリフレクタを備える光源ユニットが、上記リフレクタの放光口の口縁部をランプホルダーに固定することによって当該ランプホルダーに取り付けられている光源ユニット取付け構造において、ランプホルダーの複数箇所に具備された座面に載架されている上記リフレクタの放光口の周囲の円環状のフランジ部を上記ランプホルダーにビス止めした押え具により弾圧させてその押え具と上記座面とにより上記フランジ部を厚さ方向で弾圧挟持させてあると共に、そのリフレクタの外面の１箇所を上記ランプホルダーにビス止めした側圧付与具により径方向に弾圧させて上記ランプホルダーの座面の外側に具備させた段付状の受面に上記フランジ部の外周端面を押し付けさせることによりそのリフレクタの放光口の口縁部を上記側圧付与具と上記受面とによって径方向で弾圧挟持させてあり、上記フランジ部がその中心を挟む反対側の２箇所で上記押え具により弾圧されているのに対し、上記リフレクタに対する上記側圧付与具の弾圧箇所が、上記押え具による上記フランジ部の２箇所の弾圧箇所の相互間中央位置に定められていると共に、上記フランジ部に対する上記押え具による２箇所の弾圧箇所の対向方向に対して、上記リフレクタの外面に対する１箇所の上記側圧付与具による弾圧方向が直交し、上記押え具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んで上記取付け片部の反対側へ突き出て上記フランジ部に弾接することによりそのフランジ部を上記座面に押し付ける押圧作用片とを備え、上記側圧付与具が、ランプホルダーの取付け面に重ね合わされる主片部と、この主片部に対し曲成されてランプホルダーの取付け面で開口する凹入部に差し込まれる脚片部と、ランプホルダーの取付け面で開口するねじ孔にねじ込まれる取付けねじによってランプホルダーに固着される取付け片部と、脚片部を挟んでその取付け片部の反対側へ突き出て上記リフレクタの外面に弾接することによってそのリフレクタを径方向に押し付ける押圧作用片とを備えていて、上記押え具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっていることに加え、上記側圧付与具の主片部に対する脚片部の開き角度が直角よりも大きい角度に形成されて、その脚片部が差し込まれたランプホルダー側の凹入部内で当該脚片部の根元と先端部とがその凹入部の内壁面に弾接するようになっている、という構成を採用することによっていっそう具体化される。この発明の作用などについては後述する実施形態を参照して詳細に説明する。
【発明の効果】
【００１２】
以上のように、本発明に係る光源ユニット取付け構造によると、ランプホルダーに取り付けられたリフレクタの位置精度が高まることになるので、この取付け構造を採用したプロジェクタなどの光学機器の光学性能が安定する。そのため、プロジェクタではスクリーンに映し出される画像の品質が高まり、ユーザにとっては品質のよい画像を楽しむことができるようになるという効果が奏される。それにもかかわらず、ランプホルダーに対するリフレクタの取付作業性に優れ、しかも、リフレクタに無理な負荷が加わりにくくなってリフレクタが破損しにくくなるという利点もある。
【発明を実施するための最良の形態】
【００１３】
図１は本発明に係る光源ユニット取付け構造の正面図、図２は図１の要部の拡大図、図３は図１のＩＩＩ−ＩＩＩ線に沿う部分の拡大断面図、図４は図１のＩＶ−ＩＶ線に沿う部分の拡大断面図、図５は押え具６の斜視図、図６は側圧付与具７の斜視図、図７は押え具６の主片部６１と脚片部６２との開き角度を示した説明図、図８はランプホルダー２の正面図である。また、図１２は光学機器の一例であるプロジェクタに採用されるランプユニットの概略斜視図である。
【００１４】
図１２に示したランプユニットは、光源ユニット（同図において不図示）を収容するケース１を備えていてそのケース１がフロントカバー１２とリアカバー１３とを合わせることによって構成されている。そして、このケース１に収容されている光源ユニットから出た指向性を持つ光が、フロントカバー１２の光放出口１４から出てプロジェクタの光学系によって処理されるようになっている。また、フロントカバー１２やリアカバー１３には冷却風の通路１５，１６が備わっていて、これら通路１５，１６を流通する冷却風が光源ユニットの温度上昇を抑制するようになっている。さらに、フロントカバー１２には正面視略方形のランプホルダー２が備わっていて、フロントカバー１２はこのランプホルダー２を介してリアカバー１３に結合されている。
【００１５】
図８のように、ランプホルダー２は、上記したフロントカバー１２の内部空間に連通する円形凹所２１を備えていて、この円形凹所２１の周縁部の３箇所に座面３１，３２，３３が形成されていると共に、それらの座面３１，３２，３３の外側に各別に段付状に受面４１，４２，４３が立ち上げられている。３箇所の座面３１，３２，３３のうちの２つの座面３１，３２が互いに直角の角度を隔てて位置しているのに対し、残りの１つの座面３３は、それら２つの座面３１，３２から等角度を隔てて位置している。そして、この実施形態では、略方形のランプホルダー２の相隣接する２つの辺部に上記した直角の角度を隔てて位置している２つの座面３１，３２を配備し、残りの１つの座面３３をランプホルダー２の１つのコーナ部に配備してある。図例では、円形凹所２１の周縁部の３箇所に部分的に座面３１，３２，３３を形成してあるけれども、この点は円環状の１つの座面を形成しておいてもよい。また、３箇所に部分的に形成された上記受面４１，４２，４３の代わりに、円環状の１つの座面の外周に円環状に受面を立ち上げておいてもよい。
【００１６】
略方形のランプホルダー２の４つのコーナ部のそれぞれには平坦な取付け面２２，２３，２４，２５が備わり、それらの取付け面２２〜２５のそれぞれに、各取付け面２２〜２５で開口するねじ孔２６…と、そのねじ孔２６…を挟む対称位置の２つずつの凹入部２７，２７とが設けられている。
【００１７】
ランプホルダー２に取り付けられるリフレクタ５は、図４又は図５のようにその内面が放物面でなる反射面５１とされていて、その中心に配備されたバルブ（不図示）の光を略平行に指向させて先端の円形の放光口５２から導き出すようになっている。また、リフレクタ５の放光口５２の周囲に外側へ張り出したフランジ部５３が備わっている。そして、図８で判るように、上記した座面３１，３２，３３が仮想線で示したフランジ部５３を載架可能な位置に配備され、かつ、上記した受面４１，４２，４３がフランジ部５３の外径よりも少し大きい直径の仮想円に接する位置に配備されている。
【００１８】
この発明の光源ユニット取付け構造では、ランプホルダー２にリフレクタ５を取り付けるための止具として、図５に示した押え具６と図６に示した側圧付与具７とが用いられる。図６の押え具６は、主片部６１とその主片部６１の両側で曲成された２つの脚片部６２，６２と、ねじ挿通孔６４を有する取付け片部６３とを備えていて、上記主片部６１の先端には上記脚片部６２の突出し方向と同一方向に突き出た背低リブ状の押圧作用片６５が略直角に曲成されている。これに対し、図６に示した側圧付与具７は、主片部７１とその主片部７１の両側で曲成された２つの脚片部７２，７２と、ねじ挿通孔７４を有する取付け片部７３とを備えていて、上記主片部７１の先端には上記脚片部７２の突出し方向とは反対側に斜めに突き出た押圧作用片７５が曲成されている。そして、図５の押え具６と図６の側圧付与具７とをその形状面で対比すると、側圧付与具７が脚片部７２の突出し方向とは反対側に斜めに突き出た押圧作用片７５を有しているのに対し、押え具６には脚片部６２の突出し方向と同一方向に突き出た背低リブ状の押圧作用片６５が略直角に曲成されているという点だけが相違しており、その他の要素である主片部６１，７１、脚片部６２，７２、取付け片部６３，７３などを同一又は類似の形状及び大きさに形成されている。
【００１９】
ランプホルダー２にリフレクタ５を取り付ける工程では、最初の段階でランプホルダー２の３つの座面３１，３２，３３にリフレクタ５のフランジ部５３が載架され、その後の段階で押え具６や側圧付与具７がランプホルダー２にビス止めされる。次にこの点をさらに詳細説明する。
【００２０】
略方形のランプホルダー２の対角方向に位置している２つの取付け面２３，２５（図８参照）のそれぞれに押え具６の主片部６１を重ね合わせると共に、各取付け面２３，２５の２つの凹入部２７，２７に押え具６の２つの脚片部６２，６２を差し込むことによって、押え具６の取付け片部６３のねじ挿通孔６４を取付け面２３，２５側のねじ孔２６に合わせる。このようにすると、２つの押え具６の押圧作用片６５が、上記座面３１，３２，３３に載架されているリフレクタ５のフランジ部５３の中心を挟んで反対側の２箇所にそれぞれ載置される。次に、それぞれの押え具６につき、取付け片部６３のねじ挿通孔６４に挿通させた取付けねじ６６をねじ孔２６にねじ込んで締め付けることによりその取付け片部６３を取付け面２３，２５に固着すると、図１又は図３のように押圧作用片６５がリフレクタ５のフランジ部５３に弾接してそのフランジ部５３が押え具６と上記座面３１とにより厚さ方向で弾圧挟持される。また、略矩形のランプホルダー２の上記した２つの取付け面２３，２５に対して９０度隔てた１つのコーナ部に位置する取付け面２２（図８参照）に側圧付与具７の主片部７１を重ね合わせると共に、取付け面２２の２つの凹入部２７，２７に側圧付与具７の２つの脚片部７２，７２を差し込むことによって、側圧付与具７の取付け片部７３のねじ挿通孔７４を取付け面２２側のねじ孔２６に合わせる。このようにすると、側圧付与具７の押圧作用片７５が、リフレクタ５の放光口５２の近傍箇所でその外面に載置される。次に、それぞれの側圧付与具７につき、取付け片部７３のねじ挿通孔７４に挿通させた取付けねじ７６をねじ孔２６にねじ込んで締め付けることによりその取付け片部７３を取付け面２２に固着すると、図１又は図２のように押圧作用片７５がリフレクタ５のフランジ部５３の近傍箇所でその外面の１箇所に径方向に弾圧して上記した２つの受面４１，４２にフランジ部５３の外周端面を押し付ける。そのため、リフレクタ５の放光口５２の口縁部が側圧付与具７と受面４１，４２とによって径方向で弾圧挟持される。以上説明した押え具６のビス止めと側圧付与具７のビス止めとはどちらを先に行ってもよい。
【００２１】
この実施形態では、２つの押え具６とランプホルダー２の座面３１，３２とによりリフレクタ５のフランジ部５３が厚さ方向で弾圧挟持されていて、その弾圧挟持箇所がフランジ部５３の中心を挟む反対側の２箇所に定まり、しかも、リフレクタ５に対する側圧付与具７の弾圧箇所が、２箇所の弾圧挟持箇所の相互間中央位置に定まっている。しかも、側圧付与具７によるリフレクタ５の弾圧方向が２つの押え具６による２箇所の弾圧箇所の対向方向に対して直交している。このことにより、ランプホルダー２に対するリフレクタ５の取付誤差の発生が抑制され、しかも、リフレクタ５に無理な負荷が加わらないのでリフレクタ５のランプホルダー２に対する取付安定性も向上する。
【００２２】
また、押え具６や側圧付与具７は、それらの脚片部６２，７２をランプホルダー２側の凹入部２７に差し込んで大きな位置ずれを起こさないように仮止めした状態でビス止めすることが可能であるので、それだけビス止め作業性が向上する。なお、図２に示したように、側圧抑制具７については、その主片部７１に開設した円形の位置決め孔７７にランプホルダー２の取付け面から突出させた位置決めボス２８を嵌め込むことによって、ビス止め作業で取付けねじ７６をねじ込むときに、側圧付与具７がその取付けねじ７６と供回りすることを防いでいる。こうしておくと、側圧付与具７の押圧作用片７５による弾圧作用がリフレクタ５の径方向に正確に作用するためにリフレクタ５の取付安定性がいっそう向上する。
【００２３】
以上説明した実施形態では、押え具６の主片部６１に対する脚片部６２の開き角度θを図７のように略直角に定めてある。このため、押え具６をランプホルダー２の取付け面２３，２５に配備したときには、２つの脚片部６２が取付け面２３で開口している２箇所の凹入部２７，２７に遊嵌状に差し込まれているだけであり、そのために、脚片部６２によっては押え具６の位置ずれを抑制するという仮止め状態が得られるものの、押え具６がランプホルダー２から脱落することを阻止するような仮止め状態は得られない。したがって、押え具６をビス止めするときには、ランプホルダー２をその取付け面２３，２５が上向きになるように配備して行うことが要求される。側圧付与具７についても同様のことが云える。そこで、この点を改善して押え具６や側圧付与具７がランプホルダー２から脱落しないようにしておくことが臨まれる。次にそのような改善対策を講じた実施形態を図９〜図１１を参照して説明する。
【００２４】
図９は上記改善対策を講じた実施形態による光源ユニット取付け構造の正面図、図１０は図９の要部拡大図、図１１は押え具６の主片部６１と脚片部６２との開き角度を示した説明図である。
【００２５】
この実施形態では、図１１に示したように、押え具６の主片部６１に対する２つの各脚片部６２の開き角度θ１を直角よりも大きい角度に定めてある。そして、図９で判るように、その脚片部６２が差し込まれたランプホルダー２側の凹入部２７内で当該脚片部６２の根元６２ａと先端部６２ｂとがその凹入部２７の内壁面に弾接するようになっている。また、側圧付与具７についても同様に、その主片部７１に対する２つの各脚片部７２の開き角度が直角よりも大きい角度に形成されていて、図９及び図１０で判るように、その脚片部７２が差し込まれたランプホルダー２側の凹入部２７内で当該脚片部７２の根元７２ａと先端部７２ｂとがその凹入部２７の内壁面に弾接するようになっている。その他の構成は、図１〜図６を参照して説明したところと同様であるので、図９〜図１１では図１〜図６に付した符号と同一又は相当する部分に同一符号を付してある。
【００２６】
この実施形態によると、押え具６をランプホルダー２の取付け面２３，２５に配備したときに、凹入部２７に差し込まれた２つの脚片部６２の根元６２ａと先端部６２ｂとがその凹入部２７の内壁面に弾接してその凹入部２７から抜け落ちにくくなる作用を発揮するので、脚片部６２によって押え具６の位置ずれを抑制する作用と押え具６がランプホルダー２から脱落することを阻止するような作用とを発揮する仮止め状態が得られる。したがって、押え具６をビス止めするときには、ランプホルダー２をその取付け面２３，２５を必ずしも上向きになるように配備して行う必要がない。側圧付与具７についても同様のことが云える。
【図面の簡単な説明】
【００２７】
【図１】本発明に係る光源ユニット取付け構造の正面図である。
【図２】図１の要部拡大図である。
【図３】図１のＩＩＩ−ＩＩＩ線に沿う部分の拡大断面図である。
【図４】図１のＩＶ−ＩＶ線に沿う部分の拡大断面図である。
【図５】押え具の斜視図である。
【図６】側圧付与具の斜視図である。
【図７】押え具の主片部と脚片部との開き角度を示した説明図である。
【図８】ランプホルダーの正面図である。
【図９】他の実施形態による光源ユニット取付け構造の正面図である。
【図１０】図９の要部拡大図である。
【図１１】押え具の主片部と脚片部との開き角度を示した説明図である。
【図１２】光学機器の一例であるプロジェクタに採用されるランプユニットの概略斜視図である。
【符号の説明】
【００２８】
２  ランプホルダー
５  リフレクタ
６  押え具
７  側圧付与具
２２，２３，２４，２５  ランプホルダーの取付け面
２６  ねじ孔
２７  凹入部
３１，３２，３３  座面
４１，４２，４３  受面
５１  反射面
５２  リフレクタの放光口
５３  フランジ部
６１，７１  主片部
６２，７２  脚片部
６２ａ，７２ａ  脚片部の根元
６２ｂ，７２ｂ  脚片部の先端部
６３，７３  取付け片部
６６，７６  取付けねじ
６５，７５  押圧作用片
θ１，θ２  主片部に対する脚片部の開き角度
【図１】
2007273230.tif 000003
【図２】
2007273230.tif 000004
【図３】
2007273230.tif 000005
【図４】
2007273230.tif 000006
【図５】
2007273230.tif 000007
【図６】
2007273230.tif 000008
【図７】
2007273230.tif 000009
【図８】
2007273230.tif 000010
【図９】
2007273230.tif 000011
【図１０】
2007273230.tif 000012
【図１１】
2007273230.tif 000013
【図１２】
2007273230.tif 000014